(57)【要約】 【課題】  本発明は、宝飾品に関して保管時・輸送時・展示会や販売等に際して、商品を手にとって見る等の各種段階での宝飾品への傷の付着や手垢や汚れ等の付着を防止することを課題とすると共に、購入者が他人の手に触れられていない新品であることの認識を得られるようにすることを課題とする。【解決手段】  係る課題は、宝飾品の該表面を薄手の表面保護透明フィルムで覆うと共に、該表面保護透明フィルムは更に宝飾品から引き剥がすことのできる表面保護透明フィルムである宝飾品の保護構造を用いることによって解決できる。【選択図】    図１
2010052791.tif 000002
【特許請求の範囲】
【請求項１】
宝飾品の該表面を薄手の表面保護透明フィルム１で覆うと共に、該表面保護透明フィルム１は更に宝飾品から引き剥がすことのできる表面保護透明フィルム１であることを特徴とする宝飾品の保護構造。
【請求項２】
表面保護透明フィルム１が樹脂フィルムよりなることを特徴とする請求項１記載の宝飾品の保護構造。
【請求項３】
表面保護透明フィルム１がポリエチレン系の樹脂フィルムよりなることを特徴とする請求項２記載の宝飾品の保護構造。
【請求項４】
表面保護透明フィルム１がポリ塩化ビニール系の樹脂フィルムよりなることを特徴とする請求項２記載の宝飾品の保護構造。
【請求項５】
表面保護透明フィルム１には引き剥がし用のミシン目１０を有することを特徴とする請求項１乃至４のいずれかに記載の宝飾品の保護構造。
【請求項６】
表面保護透明フィルム１が宝飾品の一部を覆うものであることを特徴とする請求項１乃至５のいずれかに記載の宝飾品の保護構造。
【請求項７】
表面保護透明フィルム１が熱処理や高周波、超音波のいずれかによって宝飾品と密着の度合いを高めて覆うものであることを特徴とする請求項１乃至６のいずれかに記載の宝飾品の保護構造。
【請求項８】
宝飾品が、ダイヤモンド、貴石或いは半貴石からなる裸石類或いは真珠、琥珀、珊瑚のいずれかであることを特徴とする請求項１乃至７のいずれかに記載の宝飾品の保護構造。
【請求項９】
宝飾品が、指輪やネックレス、ブレスレッド等の各種装身具或いは頭飾品類等の宝飾品であることを特徴とする請求項１乃至７のいずれかに記載の宝飾品の保護構造。
【発明の詳細な説明】
【技術分野】
【０００１】
本発明は、さまざまな宝飾品類に対して用いることのできる表面保護用の透明フィルムを用いた宝飾品の保護構造に関する。
【背景技術】
【０００２】
従来、指輪やネックレス、ブレスレッド等の装身具類或いはダイヤモンド、貴石或いは半貴石からなる裸石類或いは真珠、琥珀類等を含む宝飾品類は、通常店頭での販売に際しては、この宝飾品類を店頭に展示した上で、顧客から要求によって実際に手にとって見た上で検討し、販売することが多い。
例えば婚約指輪等の販売に関しては、裸石等を予め手にとって検討し、更にこの裸石・枠・サイズを決めた上で、その後商品製作に数週間程度掛けて製造した上で、その後に店頭で商品の提供を行なうものである。
【０００３】
これらの場合に、販売側は例えば白手袋等を手にはめた上でこれ等の商品を取り扱うことが必要となるものである。
従って、商品の取扱いの丁寧さは打ち出せる反面、非常に滑りやすくなり商品の取扱いが難しくなってしまう。
更に店頭で販売する際には、多数の購買希望者の手に触れることが多くなるものであり、どうしても汚れやキズが付いてしまうものとなる。
【０００４】
これらに対して、例えば宝飾品保管具としてシリコンを含有させた部材を用いる特開２００２−３００９１４号（特許文献１）や袋内に予め宝飾品を収納しておくための宝飾品収納ケースからなる実用新案登録第３０３４６２３号（特許文献２）も存在する。
【特許文献１】特開２００２−３００９１４号
【特許文献２】実登第３０３４６２３号
【発明の開示】
【発明が解決しようとする課題】
【０００５】
以上の様に、宝飾品類の販売に際して出来る限り汚れやキズをなくす方法が前記手段によってとられてきているものである。
この場合まず特許文献１に示す内容によっても、汚れの付着の程度を少なくできる程度であり、キズなどを防止することはできないものである。
更にシリコンによって逆に滑りやすくなるものであり、白手袋等の取り扱いに際して滑りやすくしてしまうものとなる。
【０００６】
更にはシリコンオイルが貴石や半貴石に滲みこむことによって処理石となりかねず、商品価値を低減させてしまいかねないものである。
この他特許文献２に示すケースも存在するが、これは中に収納した宝飾品を見ることのできる箱代わりに使用するものであり、販売時においてこのなかに収納して販売するものではない。
従って、仮に収納して販売した場合でもこのケース内から取り出して現実に使用品を見るものであり、汚れの付着やキズの付着は避けられないものであった。
【課題を解決するための手段】
【０００７】
本発明は、かかる点を見事に解決し、ダイヤモンド、貴石或いは半貴石からなる裸石類或いは真珠、琥珀類等のみならず、これらを用いた指輪やネックレス、ブレスレッド等の装身具類或いは各種貴金属類を含む宝飾品類を店頭で販売等する場合であっても、該宝飾品類に汚れやキズをつけることを防ぐことができると共に購入者のみが該宝飾品に最初に触れたという満足感を与えることのできる画期的な発明を提供するものである。
係るため請求項１に係る発明は、宝飾品の該表面を薄手の表面保護透明フィルムで覆うと共に、該表面保護透明フィルムは更に宝飾品から引き剥がすことのできる表面保護透明フィルムである宝飾品の保護構造からなり、係る発明によって前記課題を解決できる。
【０００８】
又、請求項２に係る発明は、表面保護透明フィルムが樹脂フィルムよりなるものであり、係る発明を用いしても、或いは更に、請求項３に係る発明の様に表面保護透明フィルムがポリエチレン系の樹脂フィルムよりなる宝飾品の保護構造でも、請求項４に係る発明の様に、表面保護透明フィルムがポリ塩化ビニール系の樹脂フィルムより宝飾品の保護構造を用いてもよい。
これらの場合、請求項５に係る発明の様に表面保護透明フィルムには引き剥がし用のミシン目を有する宝飾品の保護構造を用いたものであってもよいものである。
更に、請求項６に係る発明の様に表面保護透明フィルムが宝飾品の一部を覆う宝飾品の保護構造でもよい。
【０００９】
又、請求項７に係る発明は更に、表面保護透明フィルムが熱処理や高周波、超音波のいずれかによって宝飾品と密着の度合いを高めて覆う宝飾品の保護構造であり、係る発明であってもよい。
これらの場合、請求項８に係る発明の様に、宝飾品がダイヤモンド、貴石或いは半貴石からなる裸石類或いは真珠、琥珀、珊瑚のいずれかである宝飾品の保護構造を用いるものであってもよい。
或いは、請求項９に係る発明の様に、宝飾品が指輪やネックレス、ブレスレッド等の各種装身具或いは頭飾品類等の宝飾品である宝飾品の保護構造を用いるものでもよい。
【発明の効果】
【００１０】
以上のように構成したことから、先ず請求項１に係る発明によって宝飾品を薄手の透明フィルムで覆うものであり、保管時・輸送時・展示会や販売に際して等の段階における商品を手にとって見る際等における各種段階での傷の付着の防止などを図ることができると共に宝飾品に関して手で触れた場合の手垢の付着の防止、更には購入者にとって他人の手にあまり触れられていないことの認識ができる新品であることを認識する購入者に与えることができるなど極めて多様の各種効果を有するものである。
【００１１】
更に請求項２乃至４に係る発明によって、表面保護フィルムが商品に覆い易く、扱いやすい樹脂フィルムをもって構成でき、かつ多様性のある各種樹脂フィルムの使用ができるものであって、必要に応じて極めて安価なフィルムを用いることもできるものである。
又、請求項５に係る発明によって、商品を覆っている表面保護透明フィルムを商品から簡単に引き剥がすことを可能とし、使い勝手の向上が図れるものである。
【００１２】
更に、請求項６にかかる発明によって宝飾品の全体を覆う場合のみならず必要に任意の一部を覆うものであってもよいものであり、特に破損しやすい箇所や高価な箇所など任意の部位のみを表面保護透明フィルムで覆うことも可能である。
これらの場合請求項７に係る発明の様に単に商品を覆うだけでなく、密着の度合いを高めて覆うものであれば、隙間からごみの侵入等を防ぐことができ、傷の付着などを防止できると共に例えば長期間の保管に際しての変質の防止などを図ることもできるものである。
【００１３】
更には、見た目に関しても商品の外形が表出することとなり、見栄えの高い状態での商品の覆いを行なうことができる。
従って、例えば展示会や販売時の店頭での展示に際して、見栄えのよい状態での展示を可能とする。  次に請求項８に係る発明によって、各種の貴石や半貴石或いは真珠や琥珀或いは珊瑚などにも用いることができるものとなり、特に裸石などの状態での覆いを可能とし、この状態での前記各効果を発揮できるものである。
或いは請求項９に係る発明の様に、裸石の状態ではなく、具体的な指輪やネックレス、ブレスレッド等の各種装身具や頭飾品類等の宝飾品に関して用いることができるものであり、前記各効果をこの段階で発揮できるものである。
【発明を実施するための最良の形態】
【００１４】
図1は本発明に係る表面保護透明フィルムで覆った宝飾品の一例を示すものである。
本図はダイヤモンドを配した指輪を示すものであり、該指輪全体を薄手の表面保護透明フィルム１で覆っているものである。
このようにすることによって、該指輪に対してその表面は薄手の表面保護透明フィルム１であることからこの指輪に対しての汚れの付着や傷がついてしまうことを見事に防ぐことができるものである。
【００１５】
特に、指輪等の装身具等に関しては宝石の原石類を枠等にはめ込んで製造することが必要であり、製造後においての保管運搬及び購入者への提供等の各段階におけるキズの付着などはどうしても生じうるものであったが、本発明によってフィルムによって保護されることから、この段階でのキズの付着を防止できる。
これは例えば婚約指輪等において宝石類を吟味して特定の宝石を選出し、これを指輪の枠にはめ込む場合に、当初選定した宝飾品が製造後における運搬や保管の段階で傷が付いてしまうとその価値が低減しかねないものであり、このような問題を見事に解決できるものである。
【００１６】
尚、例えば裸石の段階であっても、該裸石を同様に表面保護透明フィルム１で覆うものであれば、この段階のおける汚れの付着も傷がつく恐れも排除できる。
更には販売者側でも白手袋により直接宝飾品自体を取扱いのと異なり、表面保護透明フィルム１で覆った宝飾品を取り扱うことから、極めて安全な状態で商品の取扱いを可能することができる。
本図においては、表面保護透明フィルム１を容易に剥がせるように目立たない場所にミシン目１０を入れてある。
【００１７】
本ミシン目１０は一例であり、他の場所に設けたものであっても、或いはミシン目１０の構成が異なるものであってもよい。
例えばミシン目ではなく切れ込み部を有しており、該切れ込み部からフィルム全体を切り裂けるように構成し、この切り裂きによってフィルムを宝飾品から剥がすことのできるものであってもよい。
尚、本図のフィルムは指輪全体を覆っており、指にはめたときに指に触れるリング部分もフィルムによって覆われているものである。
【００１８】
図２は、宝飾品の一例としてダイヤモンドを薄手の表面保護透明フィルム１で覆った一例を示す図である。
本図のように、店頭で原石やカットした宝石類自体を選別する際にも汚れの付着やキズを防止できるものとなる。
又、該選別した石をメーカー等に運搬などする際にも汚れや傷つきを防止できるものである。
従って、この後メーカーにおいて枠体等にはめ込む際にフィルム１を取り外し、指輪やブローチなどの各種宝飾品を製造した後、更に表面保護透明フィルム１で覆うことにより例えば図１のような状態とすることができる。
【００１９】
このように身飾品等の最終的に身につける段階までの間の各種段階で汚れの防止や傷つきの防止ができるものである。
このことは単なる店頭での販売に限らず各種宝飾業のメーカーが作成した宝飾品を専門店や百貨店或いは展示会等に出展し、或いは委託販売等をして商品を展示販売する際には極めて有効に実施することができるものである。
これらの他、購買者側からするとこの様にすることによって、該宝飾品を購入した者が購入後に該フィルム１を取り外して装着する際に、該装飾品を初めて装着したという認識を得られるものであり、極めて多大な付加価値を生むことができる。
【００２０】
即ち、例えば婚約指輪や結婚指輪或いは各種記念装飾品等、或いは贈答品としての宝飾品類に関しては極めてその価値を高められるものである。
尚、本図においてもフィルム１の剥離のためのミシン目１０を有している。
以上の場合、本発明に係る宝飾品としては、ダイヤモンド、貴石或いは半貴石からなる裸石類或いは真珠、琥珀類等のみならず、金・銀・銅・プラチナなどの各種貴金属類、或いはこれらを用いた指輪やネックレス、ブレスレッド等の各種装身具類や頭飾品類等の各種宝飾品類が該当するものである。
【００２１】
ダイヤモンドの他、ルビー、サファイア、エメラルド、アレキサンドライト、トパーズ、ジルコン、アクアマリン 、キャッツアイ、トルマリン、ガーネット、ペリドット、ヒスイ、オパール、水晶、アゲート、メノウ、ガーネット、アメジスト、タンザナイト、アイオライト、ターコイズ、ムーンストーン、ヘマタイト、タイガーアイ、マラカイト、孔雀石、黒耀石等の貴石や半貴石が該当するものであり、その他真珠、琥珀、珊瑚、ガラス類等も宝飾品に該当する。
次に表面保護透明フィルム１に関しては樹脂フィルムであればよく、例えばポリ塩化ビニールやポリエチレン系或いはポリプロピレン系やポリビニール系など各種のフィルムであればよいものであって、少なくとも薄手のフィルムであればよい。
【００２２】
但し、液体樹脂系や液体ガラス質での皮膜は含まないものである。
これは液体樹脂系等が表面に傷のある貴石や半貴石に滲みこんでしまうものであり、これによって処理石としての価値となるものであることから、このような液体樹脂系等は含まないものである。
従って、フィルム１をもって宝飾品を覆うものであればよく、単に覆うのみならず例えば熱処理や高周波、超音波等によって密着の度合いを高めるものであってもよい。
従って、宝飾品への表面保護透明フィルム１の装着は公知の各種手段よって装着され覆ったものであればよい。
又、宝飾品が視認可能な程度の透明フィルム１であればよく、半透明なフィルムであっても或いは無職のみならず着色のある透明フィルムであってもよいものであり、本発明においてこれらは透明フィルムに含まれるものである。
【００２３】
次に図３は、貴金属製の指輪を表面保護透明フィルム１で覆った本発明の一例を示す図である。
このように構成することによって汚れの付着を防げる耐防汚性、傷つきを防げる耐防傷性、或いは衝撃に強くなる耐衝撃性を有するものとなる。
例えば結婚指輪として、予め多種の指輪に対して表面保護透明フィルム１で覆っておき、このフィルム１で覆った指輪を店頭で販売し、購買者が特定の指輪を選定した後にメーカーに送り、日付やネーム等の必要事項を彫刻する際にフィルムを取り外して彫刻し、出来上がった段階でさらにフィルムで新たに覆いを行なう。
このフィルムで覆った指輪をさらに販売店に送り、購買者に対して提供する。
このように用いることにより、前記した各効果を見事に発揮できるものとなる。
【００２４】
図４は、ネックレスのアクセサリー部にのみフィルム１を用いた一例を示す図である。
本図のように、破損に対して最も防御が必要な場所にのみ表面保護透明フィルム１で覆い、該部分の傷つきや汚れを防止するものであってもよい。
以上のように本発明は極めてその効果が高いと共にその応用範囲も極めて広いものであり、まさに画期的な発明である。  尚、本図においてはミシン目ではなく摘み部１１をフィルムに形成して、この部分をつまんでフィルムの引き剥がしを行なえるように構成しているものである。
尚フィルムは宝飾品から引き剥がせるものであればよくそのために例えばミシン目や摘み部或いは切れ目や切れ込み等があればよく、或いは材質的に簡単に引き裂き可能な樹脂フィルムを用いるものであってもよい。
【図面の簡単な説明】
【００２５】
【図１】本発明に係る宝飾品の保護構造の一例を示す図
【図２】本発明に係る宝飾品の保護構造の一例を示す図
【図３】本発明に係る宝飾品の保護構造の一例を示す図
【図４】本発明に係る宝飾品の保護構造の一例を示す図
【符号の説明】
【００２６】
１  表面保護透明フィルム
１０  ミシン目
１１  摘み部  
【図１】
2010052791.tif 000003
【図２】
2010052791.tif 000004
【図３】
2010052791.tif 000005
【図４】
2010052791.tif 000006